(57)【要約】【課題】  基地局が無線通信端末から受信する際に弊害となる搬送波の周波数オフセットの影響を軽減、除去することで、無線通信の品質や安定性の向上を図ることが可能な基地局および無線通信方法を提供することを目的としている【解決手段】  本発明の基地局１２０は、無線通信端末とＯＦＤＭＡ方式による無線通信が可能な基地局であって、通信要求のあった無線通信端末からの搬送波周波数の送信時の目標値と受信時の計測値との差異から、周波数オフセット量を検出する周波数オフセット検出部２２０と、周波数オフセット検出部２２０が検出した周波数オフセットの量に応じて、割り当てるべきタイムスロットを決定するスロット決定部２２４と、通信要求のあった無線通信端末を、決定されたタイムスロットに割り当てるスロット割当部２２６と、を備えることを特徴とする。【選択図】    図４
2010056937.tif 000002
【特許請求の範囲】
【請求項１】
無線通信端末とＯＦＤＭＡ方式による無線通信が可能な基地局であって、
通信要求のあった無線通信端末からの搬送波周波数の送信時の目標値と受信時の計測値との差異から、周波数オフセット量を検出する周波数オフセット検出部と、
前記周波数オフセット検出部が検出した周波数オフセット量に応じて、割り当てるべきタイムスロットを決定するスロット決定部と、
前記通信要求のあった無線通信端末を、前記決定されたタイムスロットに割り当てるスロット割当部と、
を備えることを特徴とする基地局。
【請求項２】
前記スロット決定部は、前記周波数オフセット検出部が検出した周波数オフセット量に応じて、同じタイムスロットには周波数オフセット量が同程度の搬送波が集まるようにタイムスロットを決定することを特徴とする請求項１または２に記載の基地局。
【請求項３】
前記スロット決定部は、タイムスロット毎に割り当てられた無線通信端末の総数に応じて、各無線通信端末がタイムスロットに平均的に割り当てられるように、割当判定に用いる周波数オフセット量の範囲を調整することを特徴とする請求項１に記載の基地局。
【請求項４】
無線通信端末と、該無線通信端末とＯＦＤＭＡ方式による無線通信可能な基地局とを用いて無線通信を行う無線通信方法であって、
通信要求のあった前記無線通信端末からの搬送波周波数の送信時の目標値と受信時の計測値との差異から周波数オフセット量を検出し、
前記周波数オフセット量に応じて、割り当てるべきタイムスロットを決定し、
前記通信要求のあった無線通信端末を、前記決定されたタイムスロットに割り当てることを特徴とする無線通信方法。
【発明の詳細な説明】
【技術分野】
【０００１】
本発明は、ＯＦＤＭＡ方式で無線通信が可能な基地局と無線通信方法に関する。
【背景技術】
【０００２】
近年、ＰＨＳ(Personal Handy phone System)や携帯電話等に代表される無線通信端末が普及し、場所や時間を問わず通話や情報入手が可能となった。特に昨今では、入手可能な情報量も増加の一途を辿り、大容量のデータをダウンロードするため高速かつ高品質な無線通信方式が取り入れられるようになってきた。
【０００３】
例えば、高速デジタル通信を可能とする次世代ＰＨＳ通信規格として、ＡＲＩＢ（Association of Radio Industries and Businesses）  ＳＴＤ  Ｔ９５またはＰＨＳ  ＭｏＵ（Memorandum of Understanding）があり、このような通信では、ＯＦＤＭ（Orthogonal Frequency Division Multiplexing:直交周波数分割多重）方式が採用されている。かかるＯＦＤＭは、多重化方式の一つに分類され、単位時間軸上で多数の搬送波を利用し、変調対象となる信号波の位相が隣り合う搬送波間で直交するように搬送波の帯域を一部重ね合わせて周波数帯域を有効利用する方式である。
【０００４】
また、ＯＦＤＭが個別のユーザ毎に時分割でサブチャネルを割り当てているのに対して、複数のユーザが全サブチャネルを共有し、各ユーザにとって最も伝送効率のよいサブチャネルを割り当てるＯＦＤＭＡ(Orthogonal Frequency Division Multiplexing Access:直交周波数分割多元接続)方式も提供されている。このようなＯＦＤＭＡ方式等により適切な搬送波を通じた無線通信が遂行される。
【０００５】
例えば、無線通信端末と基地局との間では互いに取り決められた搬送波によって通信が確立される。しかし、無線通信端末が基地局に対して近づいたり遠ざかったりした場合、その移動速度分ドップラー効果が生じて搬送波の周波数がシフトする。このように無線通信端末の移動によるドップラー効果で周波数が変化する現象をドップラーシフトと称す。
【０００６】
また、基地局や無線通信端末に組み込まれた電子回路が、周辺環境からさまざまな影響を受けることにより搬送波周波数がシフトすることがある。これらドップラーシフトを含んだ周波数のシフトを周波数オフセットと呼ぶ。
【０００７】
ＯＦＤＭＡ方式の場合、無線通信端末が送信した搬送波に周波数オフセットが発生すると位相の直交性が崩れて隣接するサブチャネルが干渉し合い、復調が困難になる問題があった。この問題を解決するため、周波数オフセット量を検出して無線通信端末が送信する搬送波をその周波数オフセット量分だけ自動周波数調整（ＡＦＣ:Auto Frequency Control、以下単にＡＦＣという。）する技術も開示されている（例えば、特許文献１）。
【特許文献１】特開２００８−１１３２４１号公報
【発明の開示】
【発明が解決しようとする課題】
【０００８】
しかし、上述したＡＦＣを採用する場合、無線通信端末がＡＦＣ処理を実行可能な装置を搭載する必要があった。また旧式の無線通信端末など当該機能を搭載していない場合、周波数オフセットの補正を行うことができず、通信が困難となる場合があった。さらに、当該機能を搭載していたとしても、ＡＦＣで対応できる周波数オフセットの調整範囲に限界があり、それを超えた調整はできなかった。
【０００９】
本発明は、このような問題に鑑み、基地局が無線通信端末から受信する際に弊害となる搬送波の周波数オフセットの影響を軽減、除去することで、無線通信の品質や安定性の向上を図ることが可能な基地局および無線通信方法を提供することを目的としている。
【課題を解決するための手段】
【００１０】
上記課題を解決するために、本発明の代表的な構成は、無線通信端末とＯＦＤＭＡ方式による無線通信が可能な基地局であって、通信要求のあった無線通信端末からの搬送波周波数の送信時の目標値と受信時の計測値との差異から、周波数オフセット量を検出する周波数オフセット検出部と、周波数オフセット検出部が検出した周波数オフセット量に応じて、割り当てるべきタイムスロットを決定するスロット決定部と、通信要求のあった無線通信端末を、決定されたタイムスロットに割り当てるスロット割当部と、を備えることを特徴とする。
【００１１】
本発明では、基地局は複数の無線通信端末から受信した搬送波を、同じタイムスロットには周波数オフセット量が同程度のものが集まるように割り当てる。そうすることで各タイムスロット内の隣接するサブチャネルが同程度の周波数オフセットを起こしていることになり、サブチャネル間の周波数間隔のずれを抑えられる。かかる構成により、無線通信の品質や安定性の向上を図ることが可能となる。
【００１２】
スロット決定部は、周波数オフセット検出部が検出した周波数オフセット量に応じて、同じタイムスロットには周波数オフセット量が同程度の搬送波が集まるようにタイムスロットを決定してもよい。
【００１３】
かかる構成により、基地局は各タイムスロット内で隣接する搬送波の相対的な周波数間隔のずれを抑えることができるため、直接周波数オフセットを補正せずに干渉の発生を減らすことができる。
【００１４】
スロット決定部は、タイムスロット毎に割り当てられた無線通信端末の総数に応じて、各無線通信端末がタイムスロットに平均的に割り当てられるように、割当判定に用いる周波数オフセット量の範囲を調整してもよい。
【００１５】
かかる構成により、基地局はそのとき通信している無線通信端末のうちの多数が特定の周波数オフセット量に偏った場合、割当判定に用いる周波数オフセット量の範囲を動的に調整する。詳細には、通信している無線通信端末の全体の周波数オフセット量の範囲から、対応する周波数オフセット量の全体の範囲を決め、割り当てられた無線通信端末の数が多いタイムスロットは割当判定に用いる周波数オフセット量の範囲を狭く、逆に割り当てられた無線通信端末の数が少ないタイムスロットは割り当て判定に用いる周波数オフセット量の範囲が広くなるように割当判定の閾値を変更する。結果、各タイムスロット内に割り当てられた無線通信端末の数が偏らないようにすることができる。そうすることで全てのタイムスロットを効率的に使用することができ、データの通信効率の向上を図ることが可能となる。
【００１６】
本発明にかかる代表的な他の構成は、無線通信端末と、無線通信端末とＯＦＤＭＡ方式による無線通信可能な基地局とを用いて無線通信を行う無線通信方法であって、通信要求のあった無線通信端末からの搬送波周波数の送信時の目標値と受信時の計測値との差異から周波数オフセット量を検出し、周波数オフセット量に応じて、割り当てるべきタイムスロットを決定し、通信要求のあった無線通信端末を、決定されたタイムスロットに割り当てることを特徴とする。
【００１７】
上述した基地局における技術的思想に対応する構成要素やその説明は、当該無線通信方法にも適用可能である。
【発明の効果】
【００１８】
以上説明したように本発明では、基地局が無線通信端末から受信する際に弊害となる搬送波の周波数オフセットの影響を軽減、除去することで、無線通信の品質や安定性の向上を図ることが可能となる。
【発明を実施するための最良の形態】
【００１９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
ＰＨＳ端末や携帯電話等に代表される無線通信端末は、所定間隔をおいて固定配置される基地局と、無線で通信を行う無線通信システムを構築する。ここでは、まず、無線通信システム全体を説明し、その後、基地局の具体的構成を説明する。また、本実施形態では、無線通信端末としてＰＨＳ端末を挙げているが、かかる場合に限らず、携帯電話、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等無線通信可能な様々な電子機器を無線通信端末として用いることもできる。
【００２１】
（無線通信システム１００）
図１は、無線通信システム１００の概略的な接続関係を示した説明図である。当該無線通信システム１００は、ＰＨＳ端末１１０（図１中１１０Ａ、１１０Ｂ、および１１０Ｃで示す）と、基地局１２０（図１中１２０Ａおよび１２０Ｂで示す）と、ＩＳＤＮ(Integrated Services Digital Network)回線、インターネット、専用回線等で構成される通信網１３０と、中継サーバ１４０とを含んで構成される。
【００２２】
上記無線通信システム１００において、ユーザが自身のＰＨＳ端末１１０Ａから他のＰＨＳ端末１１０Ｃへの通信回線の接続を行う場合、ＰＨＳ端末１１０Ａは、通信可能範囲内にある基地局１２０Ａに無線接続要求を行う。無線接続要求を受信した基地局１２０Ａは、通信網１３０を介して中継サーバ１４０に通信相手との通信接続を要求し、中継サーバ１４０は、ＰＨＳ端末１１０Ｃの位置登録情報を参照し他のＰＨＳ端末１１０Ｃの無線通信範囲内にある例えば基地局１２０Ｂを選択して基地局１２０Ａと基地局１２０Ｂとの通信経路を確保し、ＰＨＳ端末１１０ＡとＰＨＳ端末１１０Ｃの通信を確立する。
【００２３】
このような無線通信システム１００においては、ＰＨＳ端末１１０と基地局１２０との通信速度および通信品質を向上させるため様々な技術が採用されている。本実施形態では、例えば、ＡＲＩＢ  ＳＴＤ  Ｔ９５やＰＨＳ  ＭｏＵ等の次世代ＰＨＳ通信技術が採用され、ＰＨＳ端末１１０と基地局１２０との間ではＯＦＤＭＡ／ＴＤＤ（Time Division Duplex：時分割双方向伝送方式）／（またはＯＦＤＭ／ＴＤＤ）方式に基づいた無線通信が実行される。
【００２４】
図２は、周波数オフセットによる干渉の問題を説明するための説明図である。ここでは、図２（ａ）のような隣接する２つの搬送波１１２Ａ、１１２Ｂを挙げ、それぞれが図１におけるＰＨＳ端末１１０Ａ、１１０Ｂに対応している。かかる２つの搬送波１１２Ａと搬送波１１２Ｂは所定周波数ｄだけ離隔して設定されている。
【００２５】
例えば、図１のＰＨＳ端末１１０Ａが基地局１２０Ａ方向に近づいている場合、ドップラー効果により搬送波１１２Ａの周波数は高い方へシフトする。またＰＨＳ端末１１０Ｂのように基地局１２０Ａから遠ざかった場合、同じくドップラー効果により搬送波Ｂの周波数は低いほうへシフトする。このようなドップラーシフトを含む周波数オフセットの結果、図２（ｂ）において斜線で示したように周波数帯の一部が重畳してしまい、干渉が生じる。
【００２６】
この問題は、各ＰＨＳ端末１１０Ａ、１１０ＢにＡＦＣを搭載することで解決することができる。図２（ｃ）に破線で示す周波数オフセットにより重畳した搬送波１１２Ａ、１１２Ｂは、ＡＦＣによって周波数オフセットを打ち消す方向（それぞれ矢印１１４、１１６）に周波数がシフトされ、実線で示すように所定周波数dだけ離隔された正規の周波数になる。
【００２７】
図３は、ＯＦＤＭＡ／ＴＤＤにおける周波数オフセットの影響を説明するための概念図である。ＯＦＤＭＡ／ＴＤＤの構造は、時間軸と周波数とに２次元化したマップで表すことができる。周波数オフセットを説明するための図２では理解を容易にするため周波数を横軸で表していたが、ここでは縦軸で表している。図３によると、送受信における１フレームは、４つのタイムスロットに分割され、周波数軸方向に均一のベースバンド距離（９００ｋＨｚの占有帯域）をおいて複数のサブチャネル（ＰＲＵ）が配される。
【００２８】
例えば、図２における搬送波１１２Ａと搬送波１１２ＢがＯＦＤＭＡ／ＴＤＤによって図３のように隣接して配置され、基地局１２０Ａに対してＰＨＳ端末１１０Ａが近づく方向へ、ＰＨＳ端末１１０Ｂが遠ざかる方向へある速度以上で移動していた場合、対応する搬送波１１２Ａ、１１２Ｂはドップラーシフトによってそれぞれ矢印１１８、１２０の向きに周波数がずれてしまい干渉が起こる。
【００２９】
このようなＯＦＤＭＡ／ＴＤＤにおいてもＡＦＣを適用することは可能であるが、その対応はＰＨＳ端末１１０にも及び、既存の端末も含めた全てのＰＨＳ端末１１０を改修する必要が生じてしまう。本実施形態では、このようなドップラーシフトを含む周波数オフセットの影響を軽減、除去することで、無線通信の品質や安定性の向上を図ることを目的とする。以下、基地局１２０の詳細な構成を述べ、その後、このような基地局１２０を用いた無線通信方法を詳述する。
【００３０】
（基地局１２０）
図４は、基地局の概略的な構成を示したブロック図である。基地局１２０は、制御部２１０と、記憶部２１２と、無線通信部２１４と、有線通信部２１６とを含んで構成される。
【００３１】
制御部２１０は、中央処理装置（ＣＰＵ）を含む半導体集積回路により基地局１２０全体を管理および制御する。また、制御部２１０は、記憶部２１２のプログラムを用いて、ＰＨＳ端末１１０の通信網１３０や他のＰＨＳ端末１１０への通信接続を制御する。
【００３２】
記憶部２１２は、ＲＯＭ、ＲＡＭ、ＥＥＰＲＯＭ、不揮発性ＲＡＭ、フラッシュメモリ、ＨＤＤ等で構成され、制御部２１０で処理されるプログラム等を記憶する。本実施形態において、記憶部２１２は、周波数オフセット量と、その周波数オフセット量に従って割り当てられるタイムスロットとを関連付けたテーブル２２２も記憶する。
【００３３】
図５は、割当判定に用いる周波数オフセット量の範囲とタイムスロットを関連付けたテーブル２２２を示した説明図である。ここでは、周波数オフセット量を５０Ｈｚ単位で区切り、各範囲に対してタイムスロットが１つずつ関連付けられている。
【００３４】
無線通信部２１４は、ＰＨＳ端末１１０との通信を確立し、データの送受信を行う。また、無線通信部２１４は、通信要求のあったＰＨＳ端末１１０からの搬送波周波数の送信時の目標値、即ち割り当てられたＰＲＵの規定周波数と受信時の実際の計測値との差異から、周波数オフセット量を検出する周波数オフセット検出部２２０としても機能する。また、無線通信部２１４は、後述するタイムスロット割当部２２６が割り当てたタイムスロットを通じてＰＨＳ端末１１０とのデータの送受信を行う。
【００３５】
有線通信部３３４は、通信網１３０を介して中継サーバ１４０を含む様々なサーバと接続することができる。
【００３６】
また、制御部２１０は、スロット決定部２２４と、スロット割当部２２６としても機能する。
【００３７】
スロット決定部２２４は、周波数オフセット検出部２２０が検出した周波数オフセット量を受け、記憶部２１２で記憶された図５のようなテーブル２２２を用いて、通信要求のあったＰＨＳ端末１１０が割り当てるべきタイムスロットを決定する。
【００３８】
ここでは、基地局１２０は複数のＰＨＳ端末１１０から受信した搬送波のうち、周波数オフセットが近いものを同一のタイムスロットに集めて割り当てる。そうすることで各タイムスロット内の隣接するサブチャネルが、同程度の周波数オフセットを起こしていることになり、サブチャネル間の周波数間隔のずれを抑えられる。かかる構成により、無線通信の品質や安定性の向上を図ることが可能となる。
【００３９】
スロット割当部２２６は、通信要求のあったＰＨＳ端末１１０を、スロット決定部２２４で決定されたタイムスロットに割り当てる。
【００４０】
（無線通信方法）
次に、上述した基地局１２０を用いて、特に通信要求のあったＰＨＳ端末１１０を適当なタイムスロットに割り当てる無線通信方法を説明する。
【００４１】
図６は、本実施形態の無線通信方法の処理の流れを示したフローチャートである。
【００４２】
基地局１２０の周波数オフセット検出部２２０は、無線通信部２１４にてＰＨＳ端末１１０から通信要求を受けると、そのＰＨＳ端末１１０の搬送波１１２の周波数オフセット量を検出する（Ｓ３００）。
【００４３】
続いて、スロット決定部２２４は、記憶部２１２に予め記憶されている図５のテーブル２２２を参照して、検出された周波数オフセット量がテーブル２２２のどの割当判定の範囲に該当するか判定し、その割当判定の範囲に対応するタイムスロットを決定する（Ｓ３０２）。さらにスロット割当部２２６は、スロット決定部２２４が決定したタイムスロットをＰＨＳ端末１１０に割り当てる（Ｓ３０４）。
【００４４】
図７は、周波数オフセット量をもとにしたタイムスロット割当の最適化の説明図である。例えば、図１におけるＰＨＳ端末１１０Ａは、基地局１２０Ａに近づいており、通信している周波数は高くなる。かかるＰＨＳ端末１１０Ａの周波数オフセットが０〜＋５０Ｈｚと判定された場合、図７におけるスロット３の任意のＰＲＵに割り当てられる。かかる搬送波１１２ＡはＡＦＣが適用されていないので図７に示すように高周波数方向にシフトする。また、ＰＨＳ端末１１０Ｂは、基地局１２０Ａから遠のいており、その周波数オフセット量が−１００〜−５０Ｈｚと判定された場合、図７におけるスロット１の任意のＰＲＵに割り当てられる。かかる搬送波１１２Ｂは図７に示すように低周波数方向にシフトする。
【００４５】
スロット１に割り当てられた他の搬送波は、搬送波１１２Ｂと同程度に低周波方向にシフトしており互いの相対的な周波数間隔は変わらなくなるため、隣接する搬送波同士が互いに干渉することが無くなる。またスロット３に割り当てられた他の搬送波は、搬送波１１２Ａと同程度に高周波方向にシフトしており、搬送波１１２Ｂ同様、互いの相対的な周波数間隔が等しくなって、隣接する搬送波同士の干渉を回避できる。
【００４６】
同様に搬送波の周波数オフセット量の近いものをまとめて同じタイムスロットに割り当てることで、周波数オフセットによる隣接する搬送波の干渉を抑えることができる。
【００４７】
また、スロット決定部２２４は、タイムスロット毎に割り当てられたＰＨＳ端末１１０の総数に応じて、各ＰＨＳ端末１１０がタイムスロットに平均的に割り当てられるように、割当判定に用いる周波数オフセット量の範囲を調整してもよい。
【００４８】
図８は、スロット決定部２２４の他の処理の流れを示したフローチャートである。図６に示した周波数オフセット検出ステップ（Ｓ３００）の後、スロット決定部２２４は、追加的に、現在各タイムスロットに割り当てられているＰＨＳ端末１１０の数に偏りがないかどうかを判定する。判定基準となる指標値は例えば、各タイムスロットに割り当てられたＰＨＳ端末１１０の数と、各タイムスロットに割り当てられた割当判定に用いる周波数オフセット量の範囲の幅（例えば範囲が５０〜１００Ｈｚならば幅は５０Ｈｚ）の積を導出し（Ｓ３０６）、各タイムスロット同士でその指標値と、当該範囲調整の実行を判断するための所定量とを比較し（Ｓ３０８）、その指標値が所定量を超えたとき、（Ｓ３０８の“ＹＥＳ”）、各タイムスロット同士の指標値の差分が０になるように割当判定に用いる周波数オフセット量の範囲を再計算し、記憶部のテーブルを修正する（Ｓ３１０）。
【００４９】
図９は、割当判定に用いる周波数オフセット量の範囲の動的調整の説明図である。図９（a）の時点では各タイムスロットに割り当てられているＰＨＳ端末１１０の数に偏りがある。しかし当該割当判定の調整が実行され、割当判定に用いる周波数オフセット量の範囲が修正されると、図９（ｂ）のように、他のタイムスロットに比べて割り当てられたＰＨＳ端末１１０の数が多いタイムスロットは周波数オフセット量の割当範囲が小さくなり（例えばタイムスロット１および２）、逆に割り当てられたＰＨＳ端末１１０の数が少ないタイムスロットは周波数オフセット量の割当範囲が大きくなる（例えばタイムスロット３および４）。
【００５０】
こうして、新規に通信を要求してきたＰＨＳ端末１１０は空きの多いタイムスロットに割り当てられる確率が高くなり、時間を追って図９（c）のように各タイムスロットの通信量は平準化されていく。ここで、既に割り当てられているＰＨＳ端末１１０はＰＲＵの更新があるまでタイムスロットの変更を行わないとしてもよいし、割当判定の調整のタイミングで適切なタイムスロットに再割当してもよい。
【００５１】
続いて、スロット割当部２２６は記憶部２１２に登録されている最新のテーブルを元に、通信要求のあったＰＨＳ端末１１０Ａを適切なタイムスロットに割り当てる（Ｓ３０４）。
【００５２】
かかる構成により、基地局１２０はそのとき通信しているＰＨＳ端末１１０のうちの多数が特定の周波数オフセット量に偏ったとしても、割当判定に用いる周波数オフセット量の範囲を動的に調整することで、各タイムスロット内に割り当てられたＰＨＳ端末１１０の数が偏らないようにすることができる。そうすることで全てのタイムスロットを効率的に使用することができ、データの通信効率の向上を図ることが可能となる。
【００５３】
例えば、花火大会やコンサートといった特定の方向に多数の人が同程度の速度で移動する場合においても、割当判定に用いる周波数オフセット量の範囲の調整を通じて、タイムスロットを飽和させることなく、適切にＰＨＳ端末１１０を割り当てることができる。
【００５４】
また、スロット決定部２２４は、ＰＨＳ端末１１０の周波数オフセット量に応じて、割り当てるＰＲＵの位置を調整してもよい。
【００５５】
図１０は、周波数オフセット量をもとにした周波数の割当調整の説明図である。スロット決定部２２４は、周波数オフセット量が正に大きいＰＨＳ端末１１０をより高周波のＰＲＵに、周波数オフセット量が負に大きいものをより低周波のＰＲＵに割り当てる。図１０に示すように、例えば搬送波１１２Ｄは低周波方向に隣接する搬送波１１２Ｅに向かって周波数オフセットしているが、搬送波１１２Ｅはそれ以上に低周波方向に周波数オフセットしており、搬送波１１２Ｆはさらにそれ以上に周波数オフセットしている。このように搬送波間の周波数の間隔は徐々に漸増し、干渉の発生を減らすことができる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
また、本発明は前述のＡＦＣなど他の既知の技術と併用することで、周波数オフセットに対する耐性をより強くすることができる。
【００５８】
また、上述した実施形態においては、割当判定をタイムスロット毎に行っているが、かかる場合に限られず、タイムスロットを複数の範囲に分割して、その分割範囲毎にＰＨＳ端末を割り当ててもよい。例えば各タイムスロットをサブチャネルが同数になるように分割し、周波数が高い側に正の周波数オフセット量の範囲を割り当て、周波数の低い半分には負の周波数オフセット量の範囲を割り当てる。こうすることで図５のタイムスロット量の割当範囲を例えば８つに分けることができ、より適切に搬送波を割り当てることができる。
【００５９】
なお、本明細書の無線通信方法における各工程は、必ずしもフローチャートとして記載された順序に沿って時系列に処理する必要はなく、並列的あるいはサブルーチンによる処理を含んでもよい。
【産業上の利用可能性】
【００６０】
本発明は、ＯＦＤＭＡ方式で無線通信が可能な基地局および無線通信方法に利用可能である。
【図面の簡単な説明】
【００６１】
【図１】無線通信システムの概略的な接続関係を示した説明図である。
【図２】周波数オフセットによる干渉の問題を説明するための説明図である。
【図３】ＯＦＤＭＡ／ＴＤＤにおける周波数オフセットの影響を説明するための概念図である。
【図４】基地局の概略的な構成を示したブロック図である。
【図５】周波数オフセット量の範囲とタイムスロットを関連付けたテーブルを示した説明図である。
【図６】本実施形態の無線通信方法の処理の流れを示したフローチャートである。
【図７】周波数オフセット量をもとにしたタイムスロット割当の最適化の説明図である。
【図８】スロット決定部の他の処理の流れを示したフローチャートである。
【図９】割当判定に用いる周波数オフセット量の範囲の動的調整の説明図である。
【図１０】周波数オフセット量をもとにした周波数の割当調整の説明図である。
【符号の説明】
【００６２】
１１０  …ＰＨＳ端末
１２０  …基地局
２２０  …周波数オフセット検出部
２２４  …スロット決定部
２２６  …スロット割当部
【図１】
2010056937.tif 000003
【図２】
2010056937.tif 000004
【図３】
2010056937.tif 000005
【図４】
2010056937.tif 000006
【図５】
2010056937.tif 000007
【図６】
2010056937.tif 000008
【図７】
2010056937.tif 000009
【図８】
2010056937.tif 000010
【図９】
2010056937.tif 000011
【図１０】
2010056937.tif 000012